(57)【要約】【課題】簡易な構成で低廉なコストの光制御デバイスを用いることができる光制御デバイスの制御方法を提供すること。【解決手段】透明電極２０２と、導電率可変部２０３と、駆動用電極２０４と、可動部１０８と、を有する光制御デバイスの制御方法であって、透明電極２０２に一定の強度の制御光Ｌを入射させる制御光供給工程と、透明電極２０２と可動部１０８との間に、入力信号に応じて変調された電圧を印加する変調電圧供給工程と、制御光Ｌを透明電極２０２に入射させ、導電率可変部２０３の導電率が変化することにより、駆動用電極２０４と可動部１０８との間に、変調された電圧に応じた力Ｆを発生させ、可動部１０８を所定の位置へ移動させる移動工程と、を含む。【選択図】      図２
2005062253.tif 000002
【特許請求の範囲】
【請求項１】
光学的に透明な透明電極と、
前記透明電極上に設けられ、前記透明電極を透過した制御光の光量に応じて電気的な導電率が変化する導電率可変部と、
前記導電率可変部上に設けられた駆動用電極と、
所定の位置に移動可能な可動部と、
前記可動部を移動可能に支持する支持部と、を有する光制御デバイスの制御方法であって、
前記透明電極に一定の強度の前記制御光を入射させる制御光供給工程と、
前記透明電極と前記可動部との間に、入力信号に応じて変調された電圧を印加する変調電圧供給工程と、
前記制御光を前記透明電極に入射させ、前記導電率可変部の導電率が変化することにより、前記駆動用電極と前記可動部との間に、前記変調された電圧に応じた力を発生させ、前記可動部を前記所定の位置へ移動する移動工程と、
を含むことを特徴とする光制御デバイスの制御方法。
【請求項２】
前記移動工程において、前記可動部が前記駆動用電極より低い基準電位であることによって前記駆動用電極と前記可動部との間に前記変調された電圧に応じた力を発生させることを特徴とする請求項１に記載の光制御デバイスの制御方法。
【請求項３】
前記移動工程において、前記可動部が前記駆動用電極より高い基準電位であることによって前記駆動用電極と前記可動部との間に前記変調された電圧に応じた力を発生させることを特徴とする請求項１に記載の光制御デバイスの制御方法。
【請求項４】
前記制御光が前記透明電極に入射している時間内に前記駆動用電極と前記可動部とを略同電位とするリセット工程をさらに含むことを特徴とする請求項１〜３のいずれか一項に記載の光制御デバイスの制御方法。
【請求項５】
前記支持部は、可撓性部材からなり、
前記駆動用電極と前記可動部との間に前記変調された電圧に応じた力が発生していない場合に可撓性の前記支持部の作用により前記可動部が移動可能な応答時間よりも、前記駆動用電極と前記可動部とを略同電位とする時間が短いことを特徴とする請求項４に記載の光制御デバイスの制御方法。
【請求項６】
前記駆動用電極と前記可動部とが略同電位となるタイミングは、前記変調された電圧を印加するタイミングより前であることを特徴とする請求項４又は５に記載の光制御デバイスの制御方法。
【請求項７】
光学的に透明な透明電極と、
前記透明電極上に設けられ、前記透明電極を透過した制御光の光量に応じて電気的な導電率が変化する導電率可変部と、
前記導電率可変部上に設けられた駆動用電極と、
所定の位置に移動可能な可動部と、
前記可動部を移動可能に支持する支持部と、を有する光制御デバイスの制御方法であって、
前記透明電極に、入力信号に応じて強度を変調された前記制御光を入射させる制御光供給工程と、
前記透明電極と前記可動部との間に一定の電圧を印加する電圧供給工程と、
前記制御光を前記透明電極に入射させ、前記導電率可変部の導電率が前記制御光の強度に応じて変化することにより、前記駆動用電極と前記可動部との間に、前記制御光の強度に応じた力を発生させ、前記可動部を前記所定の位置へ移動させる移動工程と、
前記制御光が前記透明電極に入射している時間内に前記駆動用電極と前記可動部とを略同電位とするリセット工程と、
を含むことを特徴とする光制御デバイスの制御方法。
【請求項８】
前記支持部は、可撓性部材からなり、
前記駆動用電極と前記可動部との間に前記一定の電圧に応じた力が発生していない場合に可撓性の前記支持部の作用により前記可動部が移動可能な応答時間よりも、前記駆動用電極と前記可動部とを略同電位とする時間が短いことを特徴とする請求項７に記載の光制御デバイスの制御方法。
【請求項９】
前記駆動用電極と前記可動部とが略同電位となるタイミングは、前記強度を変調された前記制御光を照射するタイミングより前であることを特徴とする請求項７又は８に記載の光制御デバイスの制御方法。
【請求項１０】
制御光を供給する制御光用光学系と、
光学的に透明な透明電極と、
前記透明電極上に設けられ、前記透明電極を透過した前記制御光の光量に応じて電気的な導電率が変化する導電率可変部と、
前記導電率可変部上に設けられた駆動用電極と、
所定の位置に移動可能な可動部と、
前記可動部を移動可能に支持する支持部と、
前記透明電極に、入力信号に応じて変調された電圧、又は、一定の電圧を印加する電源と、を有し、
請求項１〜９のいずれか一項に記載の光制御デバイスの制御方法により制御されることを特徴とする光制御デバイス。
【請求項１１】
所定の位置に移動可能な可動ミラーを有する複数の光制御可動ミラーデバイスを有し、
前記光制御可動ミラーデバイスは、請求項１０に記載の光制御デバイスであって、
前記可動部は、前記可動ミラーであることを特徴とする空間光変調装置。
【請求項１２】
照明光を供給する照明光用光源部と、
前記照明光用光源部からの前記照明光を画像信号に応じて変調する空間光変調装置と、
前記空間光変調装置で変調された光を投写する投写レンズと、を有し、
前記空間光変調装置は、請求項１１に記載の空間光変調装置であることを特徴とするプロジェクタ。
【発明の詳細な説明】
【０００１】
【発明の属する技術分野】
本発明は、光制御デバイスの制御方法、この光制御デバイスの制御方法に用いられる光制御デバイス、この光制御デバイスを用いる空間光変調装置、及び、この空間光変調装置を用いるプロジェクタの技術に関する。
【０００２】
【従来の技術】
プロジェクタの空間光変調装置として、ティルトミラーデバイスが用いられている。ティルトミラーデバイスは、マイクロ・エレクトロ・メカニカル・システム（Ｍｉｃｒｏ  Ｅｌｅｃｔｒｏ  Ｍｅｃｈａｎｉｃａｌ  Ｓｙｓｔｅｍｓ；以下、「ＭＥＭＳ」という。）技術により、集積回路基板上に複数の可動ミラーを形成したものである。可動ミラーは、画像信号に応じて反射位置を移動し、照明光を反射する。ティルトミラーデバイスは、可動ミラーを制御することにより、画像信号に応じて照明光を反射し、変調する。ティルトミラーデバイスの技術としては、例えば、特許文献１に提案されているものがある。
【０００３】
【特許文献１】
米国特許第５８６７２０２号明細書
【０００４】
【発明が解決しようとする課題】
しかしながら、従来のティルトミラーデバイスは、各可動ミラーを駆動するための配線を設け、電気的にアクセスする必要がある。また、従来のティルトミラーデバイスは、ＣＭＯＳ（相補型金属酸化膜半導体）等を用いる集積回路基板上に可動ミラー等を形成するものである。このため、従来のティルトミラーデバイスは複雑な構造である上、集積回路とＭＥＭＳ構造とを一体に形成することが歩留まりを低下させる原因となるため、製造コストが高騰するという問題がある。
【０００５】
本発明は、上述の問題点を解決するためになされたものであり、簡易な構成で低廉なコストの光制御デバイスを用いることができる光制御デバイスの制御方法、その光制御デバイスの制御方法に用いられる光制御デバイス、その光制御デバイスを用いる空間光変調装置、及び、その空間光変調装置を用いるプロジェクタを提供することを目的とする。
【０００６】
【課題を解決するための手段】
上記課題を解決し、目的を達成するために、本発明によれば、光学的に透明な透明電極と、透明電極上に設けられ、透明電極を透過した制御光の光量に応じて電気的な導電率が変化する導電率可変部と、導電率可変部上に設けられた駆動用電極と、所定の位置に移動可能な可動部と、可動部を移動可能に支持する支持部と、を有する光制御デバイスの制御方法であって、透明電極に一定の強度の制御光を入射させる制御光供給工程と、透明電極と可動部との間に、入力信号に応じて変調された電圧を印加する変調電圧供給工程と、制御光を透明電極に入射させ、導電率可変部の導電率が変化することにより、駆動用電極と可動部との間に、変調された電圧に応じた力を発生させ、可動部を所定の位置へ移動する移動工程と、を含むことを特徴とする光制御デバイスの制御方法を提供することができる。
【０００７】
ティルトミラーデバイスに、光が入射することにより駆動する光制御デバイスを用いることが考えられる。光制御デバイスを用いると、各光制御デバイスに画像信号に応じた光（以下、適宜「制御光」という。）を走査することによってティルトミラーデバイスを制御することができる（光アドレッシング）。本発明の光制御デバイスの制御方法は、変調電圧供給工程において、透明電極と可動部との間に印加する電圧を、入力信号に応じて変調する。そして、制御光供給工程において、透明電極に一定の強度の制御光を入射させると、透明電極を透過した制御光の光量に応じて導電率可変部の導電率が増大する。導電率可変部の導電率が増大することにより、電圧を印加する電源の一方の電極は、透明電極と導電率可変部とを経由して駆動用電極と電気的に接続される。制御光の強度は一定であるから、駆動用電極は、入力信号に応じて変調された電圧が印加される。電源の他方の電極は、可動部と電気的に接続されている。従って、透明電極に制御光が入射することにより、可動部と駆動用電極との間には、入力信号に応じて変調された電圧に応じた電位差を生じる。移動工程において、可動部は、駆動用電極との間の電位差により発生する静電力の作用を受けて所定の位置へ移動する。可動部は、例えば導電性を有する可撓性部材からなる支持部により支持することができる。支持部を可撓性部材とすると、可動部は、可撓性の支持部の作用により、静電力の作用によって移動する向きとは逆の向きに移動することができる。このようにして、光制御デバイスを駆動することができる。本発明の光制御デバイスの制御方法は、光アドレッシングにより可動部を駆動するため、各可動部に電気的にアクセスするための配線等を不要とし、集積回路とＭＥＭＳ構造とを一体に形成することも不要となる。これにより、簡易な構成で、低廉なコストの光制御デバイスを用いることができる。
【０００８】
また、本発明の好ましい態様としては、移動工程において、可動部が駆動用電極より低い基準電位であることによって駆動用電極と可動部との間に変調された電圧に応じた力を発生させることが望ましい。
【０００９】
移動工程において、可動部は、駆動用電極との間の電位差により発生する静電力の作用を受けて所定の位置へ移動する。このとき、可動部を駆動用電極より低い基準電位とすることによって、可動部と駆動用電極との間には電位差が生じる。駆動用電極は、変調電極供給工程において入力信号に応じて変調された電圧が印加されているため、駆動用電極と可動部との間に、変調された電圧に応じた力を発生させることができる。変調された電圧に応じた力によって、可動部は、所定の位置へ移動することができる。これにより、光制御デバイスを制御することができる。
【００１０】
また、本発明の好ましい態様としては、移動工程において、可動部が駆動用電極より高い基準電位であることによって駆動用電極と可動部との間に変調された電圧に応じた力を発生させることが望ましい。
【００１１】
移動工程において、可動部は、駆動用電極との間の電位差により発生する静電力の作用を受けて所定の位置へ移動する。このとき、可動部を駆動用電極より高い基準電位とすることによって、可動部と駆動用電極との間には電位差が生じる。駆動用電極は、変調電極供給工程において入力信号に応じて変調された電圧が印加されているため、駆動用電極と可動部との間に、変調された電圧に応じた力を発生させることができる。変調された電圧に応じた力によって、可動部は、所定の位置へ移動することができる。これにより、光制御デバイスを制御することができる。
【００１２】
また、本発明の好ましい態様としては、制御光が透明電極に入射している時間内に駆動用電極と可動部とを略同電位とするリセット工程をさらに含むことが望ましい。
【００１３】
変調電圧供給工程において、入力信号に応じて変調された電圧を透明電極に連続的に印加することにより、可動部を連続的に異なる位置に移動させることができる。ここで、変調された電圧を透明電極に連続的に印加することにより、駆動用電極に電荷が残存、蓄積する場合がある。駆動用電極に電荷が残存、蓄積すると、駆動用電極に、画像信号に応じて変調された電圧を印加することが困難となる。画像信号に応じた電圧を印加することができない場合、入力信号に応じた力を発生させ、入力信号のタイミングに正確に同期して可動部を移動させることが困難となる。例えば、光制御デバイスを用いて画像表示する場合、画像信号に応じて可動部を移動させることができないと、画像の品質が低下することとなる。そこで、駆動用電極と可動部とを略同電位とするリセット工程を設ける。リセット工程において、制御光が透明電極に入射している時間内に駆動用電極と可動部とを略同電位とすることにより、駆動用電極に残存する電荷を駆動用電極から逃がすことができる。駆動用電極と可動部とを略同電位とするのは、電源からの電圧を調節することにより可能である。例えば、電源の可動部側をグラウンドに接地させて可動部の基準電位を略ゼロとしている場合、電源からの電圧を略ゼロに調節することにより、電荷をグラウンドに逃がすことができる。駆動用電極に残存する電荷を逃がすことによって、可動部は、入力信号に正確に対応して移動することができる。これにより、光制御デバイスを正確に制御することができる。
【００１４】
また、本発明の好ましい態様としては、支持部は、可撓性部材からなり、駆動用電極と可動部との間に変調された電圧に応じた力が発生していない場合に可撓性の支持部の作用により可動部が移動可能な応答時間よりも、駆動用電極と可動部とを略同電位とする時間が短いことが望ましい。
【００１５】
リセット工程を設けると、制御光が透明電極に入射されている期間において、入力信号により変調された電圧を透明電極に印加する時間と、リセット工程のための時間とが必要となる。ここで、リセット工程において可動部と駆動用電極とは略同電位となることから、可動部と駆動用電極との間の静電力は解除される。可動部を可撓性の支持部により支持する場合、静電力を解除すると、可動部は、可撓性の支持部の作用によって、静電力の作用により移動する向きとは逆の向きに移動しようとする。そのとき可撓性の支持部の作用により可動部が移動可能な応答時間よりも、駆動用電極と可動部とを略同電位とする時間を短くすると、リセット工程において可動部を移動することなく、駆動用電極の電荷を逃がすことができる。従って、可動部は、入力信号によらない不要な移動をすることなく、入力信号に正確に対応して移動することができる。これにより、光制御デバイスを正確に制御することができる。
【００１６】
また、本発明の好ましい態様としては、駆動用電極と可動部とが略同電位となるタイミングは、変調された電圧を印加するタイミングより前であることが望ましい。
【００１７】
画像信号により変調された電圧を印加する直前にリセット工程を設けると、再度制御光が入射して書き込みが行われるまで可動ミラーをより長い時間同一位置に保持することができる。また、駆動用電極と可動部とが略同電位となるタイミングを、入力信号により変調された電圧を印加するタイミングの前とすることにより、駆動用電極に入力信号に応じた電圧を印加する前に、駆動用電極に残存、蓄積した電荷を確実に消去することができる。これにより、入力信号に正確に対応して光制御デバイスを制御することができる。
【００１８】
さらに、本発明によれば、光学的に透明な透明電極と、透明電極上に設けられ、透明電極を透過した制御光の光量に応じて電気的な導電率が変化する導電率可変部と、導電率可変部上に設けられた駆動用電極と、所定の位置に移動可能な可動部と、可動部を移動可能に支持する支持部と、を有する光制御デバイスの制御方法であって、透明電極に、入力信号に応じて強度を変調された制御光を入射させる制御光供給工程と、透明電極と可動部との間に一定の電圧を印加する電圧供給工程と、制御光を透明電極に入射させ、導電率可変部の導電率が制御光の強度に応じて変化することにより、駆動用電極と可動部との間に、制御光の強度に応じた力を発生させ、可動部を所定の位置へ移動させる移動工程と、制御光が透明電極に入射している時間内に駆動用電極と可動部とを略同電位とするリセット工程と、を含むことを特徴とする光制御デバイスの制御方法を提供することができる。
【００１９】
本発明の光制御デバイスの制御方法は、制御光供給工程において、制御光を入力信号に応じて強度を変調する。透明電極に変調された強度の制御光を入射させると、透明電極を透過した制御光の光量に応じて導電率可変部の導電率が増大する。導電率可変部の導電率が増大することにより、電圧を印加する電源の一方の電極は、透明電極と導電率可変部とを経由して駆動用電極と電気的に接続される。透明電極に印加される電圧は一定値であるから、駆動用電極は、入力信号に応じて変調された制御光の光量に応じた電圧が印加される。電源の他方の電極は、可動部と電気的に接続されている。従って、透明電極に制御光が入射することにより、可動部と駆動用電極との間には、入力信号に応じて変調された制御光の光量に応じた電位差を生じる。可動部は、可動部と駆動用電極との間の電位差により発生する静電力の作用を受けて移動する。このようにして、光制御デバイスを駆動することができる。光アドレッシングにより可動部を駆動するため、各可動部に電気的にアクセスするための配線等を不要とし、集積回路とＭＥＭＳ構造とを一体に形成することも不要となる。これにより、簡易な構成で、低廉なコストの光制御デバイスを用いることができる。また、リセット工程において、制御光が透明電極に入射している時間内に駆動用電極と可動部とを略同電位とすることにより、駆動用電極に残存する電荷を駆動用電極から逃がすことができる。駆動用電極に残存する電荷を逃がすことによって、可動部は、入力信号に正確に対応して移動することができる。これにより、光制御デバイスを正確に制御することができる。
【００２０】
また、本発明の好ましい態様としては、支持部は、可撓性部材からなり、駆動用電極と可動部との間に一定の電圧に応じた力が発生していない場合に可撓性の支持部の作用により可動部が移動可能な応答時間よりも、駆動用電極と可動部とを略同電位とする時間が短いことが望ましい。
【００２１】
リセット工程において可動部と駆動用電極とは略同電位となることから、可動部と駆動用電極との間の静電力は解除される。静電力を解除すると、可動部は、可撓性の支持部の作用によって、静電力の作用により移動する向きとは逆の向きに移動しようとする。そのとき可撓性の支持部の作用により可動部が移動可能な応答時間よりも、駆動用電極と可動部とを略同電位とする時間を短くすると、リセット工程において可動部を移動することなく、駆動用電極の電荷を逃がすことができる。従って、可動部は、入力信号によらない不要な移動をすることなく、入力信号に正確に対応して移動することができる。これにより、光制御デバイスを正確に制御することができる。
【００２２】
また、本発明の好ましい態様としては、駆動用電極と可動部とが略同電位となるタイミングは、強度を変調された制御光を照射するタイミングより前であることが望ましい。
【００２３】
駆動用電極と可動部とが略同電位となるタイミングを、入力信号により変調された電圧を印加するタイミングの前とすることにより、入力信号に応じた電圧を印加する前に、駆動用電極に残存、蓄積した電荷を確実に消去することができる。これにより、入力信号に正確に対応して光制御デバイスを制御することができる。
【００２４】
さらに、本発明によれば、制御光を供給する制御光用光学系と、光学的に透明な透明電極と、透明電極上に設けられ、透明電極を透過した制御光の光量に応じて電気的な導電率が変化する導電率可変部と、導電率可変部上に設けられた駆動用電極と、所定の位置に移動可能な可動部と、可動部を移動可能に支持する支持部と、透明電極に、入力信号に応じて変調された電圧、又は、一定の電圧を印加する電源と、を有し、上記の光制御デバイスの制御方法により制御されることを特徴とする光制御デバイスを提供することができる。上記の光制御デバイスの制御方法により制御されることから、簡易な構成、低コストで、正確な制御が可能な光制御デバイスを得られる。
【００２５】
さらに、本発明によれば、所定の位置に移動可能な可動ミラーを有する複数の光制御可動ミラーデバイスを有し、光制御可動ミラーデバイスは、上記の光制御デバイスであって、可動部は、可動ミラーであることを特徴とする空間光変調装置を提供することができる。上記の光制御デバイスを用いることから、光アドレッシングができ、簡易な構成、低コストで、画像信号に正確に対応した制御が可能な空間光変調装置を得られる。
【００２６】
さらに、本発明によれば、照明光を供給する照明光用光源部と、照明光用光源部からの照明光を画像信号に応じて変調する空間光変調装置と、空間光変調装置で変調された光を投写する投写レンズと、を有し、空間光変調装置は、上記の空間光変調装置であることを特徴とするプロジェクタを提供することができる。上記の空間光変調装置を用いることから、低コストで、画像信号に正確に対応した制御が可能なプロジェクタを得られる。
【００２７】
【発明の実施の形態】
以下に図面を参照して、本発明の実施形態を詳細に説明する。
（第１実施形態）
図１を用いてプロジェクタ１００の概略構成を説明し、以下、図２、図３を用いて、本発明の第１実施形態に係る光制御デバイスの制御方法について説明する。図１に示すプロジェクタ１００は、固体発光素子である発光ダイオード素子（以下、適宜「ＬＥＤ」という。）を複数設けた照明光用光源部１０１を有する。照明光用光源部１０１は、第１色光であるＲ光を供給するＲ光用ＬＥＤ１０２Ｒと、第２色光であるＢ光を供給するＢ光用ＬＥＤ１０２Ｂと、第３色光であるＧ光を供給するＧ光用ＬＥＤ１０２Ｇとを有する。照明光用光源部１０１から供給された照明光は、フィールドレンズ１０３を透過した後、空間光変調装置１２０の変調部１０４に入射する。フィールドレンズ１０３は、変調部１０４をテレセントリックに照明する機能、即ち、照明光をできるだけ主光線に平行にして変調部１０４に入射させる機能を有する。プロジェクタ１００は、照明光用光源部１０１の像を投写レンズ１０５の入射瞳１０７の位置に結像する。このため、変調部１０４は、照明光用光源部１０１から供給される照明光によりケーラー照明される。空間光変調装置１２０は、変調部１０４と、制御光用光学系１３０とからなる。変調部１０４は、投写レンズ１０５の側の表面に、画像信号に応じて移動可能な複数の可動ミラー１０８を有する。複数の可動ミラー１０８は、変調部１０４の平面上に、略直交する格子状に配列されている。変調部１０４は、照明光用光源部１０１からの照明光を、制御部１１２からの画像信号に応じて変調する。制御部１１２は、画像信号に応じて照明光用光源部１０１と、空間光変調装置１２０とを制御する。投写レンズ１０５は、変調部１０４で変調された光をスクリーン１０６に投写する。
【００２８】
制御光用光学系１３０は、ガルバノミラー１１６と、制御光用光源部１１０とからなる。制御光用光学系１３０は、変調部１０４に対して、投写レンズ１０５とは反対側に設けられている。制御光用光学系１３０の制御光用光源部１１０は、ビーム状の光、例えば、レーザ光を一定の強度で供給する。制御光用光源部１１０は、例えば、半導体レーザ素子や面発光レーザ素子を用いることができる。ガルバノミラー１１６は、略直交する所定の２軸を中心として回動することにより、制御光用光源部１１０からの光を二方向に走査させる。ガルバノミラー１１６は、制御部１１２からの画像信号に応じて回動する。このようにして、変調部１０４に、制御光用光源部１１０からのビーム状の制御光を走査させる。
【００２９】
次に、図２を用いて光制御可動ミラーデバイス２００の構成について説明する。図２に示す光制御可動ミラーデバイス２００の構成により、一つの可動ミラー１０８を駆動する。光制御可動ミラーデバイス２００は、ＭＥＭＳ（Ｍｉｃｒｏ  Ｅｌｅｃｔｒｏ  Ｍｅｃｈａｎｉｃａｌ  Ｓｙｓｔｅｍｓ）技術により作成することができる。光学的に透明な平行平板である硝子基板２０１の上には、光学的に透明な透明電極２０２が設けられている。透明電極２０２は、ＩＴＯ膜で構成できる。透明電極２０２の上には、導電率可変部２０３が形成されている。導電率可変部２０３は、透明電極２０２を透過した制御光Ｌの光量に応じて、電気的な導電率を変化させる。導電率可変部２０３は、例えばアモルフォス・シリコン（以下、「ａ−Ｓｉ」という。）又は感光性有機膜などを用いることができる。例えば、ａ−Ｓｉは、水素を含んでいることが望ましい。また、ａ−Ｓｉは、気相成長法（ＣＶＤ法）により形成する。ａ−Ｓｉは、制御光Ｌを全く照射させていない状態では、電気的な導電率が略ゼロ（即ち抵抗値が略無限大）の絶縁性部材として機能する。これに対して、ａ−Ｓｉに制御光Ｌを照射させると、その光量に応じて導電率が大きくなる（即ち抵抗値が小さくなる）。導電率可変部２０３において導電率が変化する領域は、制御光Ｌを照射させた透明電極２０２の領域である。
【００３０】
絶縁層２０５は、導電率可変部２０３と支持部２０６との間に、スパッタ技術により形成される。絶縁層２０５にはＳｉＯ２を用いることができる。透明電極２０２と支持部２０６とが電気的に接続すると、駆動用電極２０４と可動ミラー１０８との間に電位差が生じず、可動ミラー１０８を駆動できなくなる。そこで、絶縁層２０５は、透明電極２０２と支持部２０６との電気的な接続を防止するために設けられている。支持部２０６は、絶縁層２０５の上に設けられ、可動ミラー１０８を移動可能に支持する。支持部２０６は、導電性を有する可撓性部材、又は導電性を有する弾性部材（金属ばね等）である。導電率可変部２０３の上の、絶縁層２０５が設けられている位置とは異なる位置には、駆動用電極２０４が形成されている。駆動用電極２０４と、可動ミラー１０８とは、互いに対向するように設けられている。可動ミラー１０８と、駆動用電極２０４とは、いずれも導電性物質、例えば、アルミニュウム（Ａｌ）で構成することができる。可変電源２１０は、透明電極２０２と、支持部２０６との間に、制御部１１２からの画像信号に応じて変調された電圧を印加する。可変電源２１０の支持部２０６側には、グラウンド（以下、「ＧＮＤ」という。）電極２１２が設けられている。ＧＮＤ電極２１２で接地させることにより、可変電源２１０の可動ミラー１０８側の基準電位を略ゼロとする。可変電源２１０から透明電極２０２に印加される電圧を可動ミラー１０８の基準電位より高い電圧とすると、画像信号に応じて変調された電圧によって、可動ミラー１０８と駆動用電極２０４との間に静電力Ｆが発生する。
【００３１】
次に、図２、図３を用いて、本発明の第１実施形態に係る光制御デバイスの制御方法について説明する。まず、制御光供給工程において、硝子基板２０１を介して透明電極２０２に一定の強度の制御光Ｌを入射させる。制御光Ｌを透明電極２０２に入射させると、制御光Ｌは、透明電極２０２を透過して、導電率可変部２０３に到達する。このとき、導電率可変部２０３のうち制御光Ｌが照射した部分について、制御光Ｌの光量に応じて電気的な導電率が大きくなる。導電率可変部２０３の導電率が大きくなることにより、可変電源２１０の一方の電極は、透明電極２０２と導電率可変部２０３とを経由して駆動用電極２０４と電気的に接続される。変調電圧供給工程において、透明電極２０２と可動ミラー１０８との間に、制御部１１２からの画像信号に応じて変調された電圧を印加することから、駆動用電極２０４は、画像信号に応じて変調された電圧が印加される。なお、厳密には、導電率可変部２０３の導電率が変化する領域は、光の強度とその照射時間とに比例して、照射位置を中心として周辺へ拡がる傾向がある。変調部１０４は、制御光Ｌを高速に走査させることにより、順次、隣接する可動ミラー１０８を制御する。このため、制御光Ｌを照射させた領域近傍のみの導電率が変化するものとして扱う。但し、絶縁層２０５は、制御光Ｌが駆動用電極２０４に対応する位置以外の位置に入射する場合であっても、透明電極２０２と支持部２０６とが電気的に接続することを確実に防止するために設けられている。これにより、可動ミラー１０８の駆動の制御が不可能となることを確実に防止できる。
【００３２】
上述のように、可変電源２１０の可動ミラー１０８側をＧＮＤ電極２１２で接地させていることから、可動ミラー１０８の電位は、常に基準電位であるゼロで一定である。可変電源２１０から透明電極２０２に印加される電圧を可動ミラー１０８の基準電位より高い電圧とする。制御光Ｌを透明電極２０２に入射させると、駆動用電極２０４に可変電源２１０からの電圧が印加されることにより、可動ミラー１０８は、駆動用電極２０４より低い基準電位となる。制御光Ｌの強度は一定であるため、導電率可変部２０３の導電率も一定となる。駆動用電極２０４に印加される電圧は、可変電源２１０による電圧の変調によってのみ変化する。このため、駆動用電極２０４と可動ミラー１０８との間に、変調された電圧に応じた静電力Ｆが発生する。静電力Ｆは、可動ミラー１０８が駆動用電極２０４の方向へ引き寄せられる方向に働く引力である。ここで、支持部２０６は可撓性部材であるから、可動ミラー１０８に何ら外力が加えられていない状態をとるように、可動ミラー１０８に働く静電力Ｆとは反対の向きの力が働く。移動工程において、可動ミラー１０８は、静電力Ｆと、支持部２０６の作用による力とにより、画像信号に応じた所定の位置へ移動する。制御部１１２は、ガルバノミラー１１６の駆動と、可変電源２１０による電圧の変調とを同期することにより、各光制御可動ミラーデバイス２００を制御する。画像の１フレーム中には、Ｒ光、Ｇ光、Ｂ光のそれぞれについて制御光Ｌが各光制御可動ミラーデバイス２００を走査し、光アドレッシングを行う。
【００３３】
プロジェクタ１００の空間光変調装置１２０に光制御可動ミラーデバイス２００を用いることにより、光アドレッシングによるティルトミラーデバイスの制御ができる。光アドレッシングが可能であると、従来のティルトミラーデバイスに用いられる、各可動ミラーへの電気的なアクセスのための配線等が不要となる。また、光アドレッシングにより、各可動ミラーに対応する集積回路が不要となることから、集積回路とＭＥＭＳ構造とを一体に形成することも不要となる。これにより、本発明の光制御デバイスの制御方法によると、簡易な構成で、低廉なコストの光制御可動ミラーデバイス２００を用いることができるという効果を奏する。さらに、光制御可動ミラーデバイス２００を用いることにより、簡易な構成、低コストの空間光変調装置１２０、及びプロジェクタ１００を得られる。
【００３４】
図３は、画素１、画素２、画素３を例として、各光制御可動ミラーデバイス２００の制御例を示す。図３に示す各チャートの横軸は、ガルバノミラー１１６によって制御光Ｌが走査する位置を表す。図３（ａ）に示すように、制御光Ｌの強度は、各画素について一定の強度である。また、図３（ｂ）に示すように、各可動ミラー１０８の電位は、基準電位である０（ゼロ）Ｖで一定である。透明電極２０２の電位は、可変電源２１０から印加される画像信号に応じた電圧を示す。各光制御可動ミラーデバイス２００の透明電極２０２には、図３（ｃ）に示すように、各画素の画像信号に対応した電圧が印加される。また、リセット工程として、可変電源２１０は、画像信号に対応した電圧のほか、図３（ｄ）に示すリセット信号に同期して０（ゼロ）Ｖの電圧を印加する。
【００３５】
透明電極２０２への制御光Ｌの入射を停止すると、導電率可変部２０３は絶縁体として機能する。このため、駆動用電極２０４と可動ミラー１０８との間に静電力Ｆを発生させた電荷は、駆動用電極２０４に残存することとなる。これを利用すると、制御光Ｌが一度光制御可動ミラーデバイス２００を走査して書き込みを行った後、再び同じ光制御可動ミラーデバイス２００に制御光Ｌが走査して次の書き込みが行われるまでの間、可動ミラー１０８を同一位置に保持することができる。これにより、画像信号に正確に対応した高品質の画像を得ることができる。しかし、可変電源２１０からの電圧を透明電極２０２に連続的に印加すると、駆動用電極２０４に電荷が残存、蓄積する場合がある。駆動用電極２０４に電荷が残存、蓄積すると、駆動用電極２０４に画像信号に応じた電圧を印加することが困難となる。駆動用電極２０４に画像信号に応じた電圧を印加することができないと、変調された電圧に応じた静電力Ｆを発生させることが困難となる。画像信号に応じて静電力Ｆを発生できないと、画像信号に正確に対応できず画像の品質を低下する原因となり得る。
【００３６】
そこで、各画素について、それぞれの画像信号に応じた電圧を印加する前に、リセット工程として、図３（ｄ）に示すリセット信号に同期して０（ゼロ）Ｖとなる期間が設けられている。このとき、制御光Ｌが透明電極２０２に入射している時間のうち一部の時間において、駆動用電極２０４と可動ミラー１０８とは、互いに略同電位となる。制御光Ｌが透明電極２０２に入射している時間内に駆動用電極２０４と可動ミラー１０８とが略同電位となることから、駆動用電極２０４に残存、蓄積している電荷をＧＮＤ電極２１２から逃がすことができる。このようにして可変電源２１０は、リセット信号に同期して０（ゼロ）Ｖの電圧を印加する期間を設けつつ、画像信号に応じた電圧を印加する。このため、光制御可動ミラーデバイス２００を正確に制御でき、高品質な画像を得られるという効果を奏する。
【００３７】
図３（ｃ）に示すように、駆動用電極２０４と可動ミラー１０８とが略同電位となるタイミングは、いずれの画素についても、画像信号により変調された電圧を印加するタイミングより前となるように設定される。上述のように、高品質な画像を得るためには、一度光制御可動ミラーデバイス２００に書き込みが行われた後、再度制御光Ｌが入射して書き込みが行われるまで可動ミラー１０８を同一位置に保持する必要がある。従って、画像信号により変調された電圧を印加した後にリセット工程を設けると、書き込みを行った直後に可動ミラー１０８の位置状態を解除し、次の書き込みまで可動ミラー１０８を同一位置に保持できない。これに対して、画像信号により変調された電圧を印加する直前にリセット工程を設けると、再度制御光Ｌが入射して書き込みが行われるまで可動ミラー１０８をより長い時間同一位置に保持することができる。また、駆動用電極２０４に画像信号に応じた電圧を印加する前に、駆動用電極２０４に残存、蓄積した電荷を確実に消去することができる。これにより、画像信号に正確に対応して光制御可動ミラーデバイス２００を制御でき、高品質な画像を得られるという効果を奏する。
【００３８】
リセット工程において駆動用電極２０４と可動ミラー１０８とを略同電位とする時間は、静電力Ｆが発生していない場合に可撓性の支持部２０６の作用により可動ミラー１０８が移動可能な応答時間よりも短くなるように設定される。静電力Ｆは、駆動用電極２０４と可動ミラー１０８とが略同電位となることによって、解除される。静電力Ｆを解除すると、可動ミラー１０８は、可撓性の支持部２０６の作用によって移動しようとする。支持部２０６の作用によって可動ミラー１０８が移動しようとする向きは、静電力Ｆの作用により移動する向きとは逆の向きである。これに対して、上述のように、高品質な画像を得るためには、より画像信号に正確に対応して可動ミラー１０８を移動させる必要がある。従って、リセット工程のたびに、可動ミラー１０８が支持部２０６の作用のみによって移動し、画像信号に応じた位置状態を解除することとなると、画像の品質を低下する原因となり得る。そこで、支持部２０６の作用により可動ミラー１０８が移動可能な応答時間よりも、駆動用電極２０４と可動ミラー１０８とを略同電位とする時間を短くする。可動ミラー１０８の応答時間よりも、駆動用電極２０４と可動ミラー１０８とを略同電位とする時間を短くすることにより、可動ミラー１０８を移動することなく、駆動用電極２０４の電荷を逃がすことができる。可動ミラー１０８は、画像信号によらない不要な移動をすることなく、画像信号に正確に対応して移動することができる。これにより、画像信号に正確に対応して光制御可動ミラーデバイス２００を制御でき、高品質な画像を得られるという効果を奏する。
【００３９】
次に、図４を用いて、Ｒ光用ＬＥＤ１０２Ｒと、Ｇ光用ＬＥＤ１０２Ｇと、Ｂ光用ＬＥＤ１０２Ｂとの点灯時間とタイミングについて説明する。図４は、Ｒ光用ＬＥＤ１０２Ｒと、Ｇ光用ＬＥＤ１０２Ｇと、Ｂ光用ＬＥＤ１０２Ｂとの点灯時間とタイミングとの例を示す。各色光用ＬＥＤ１０２Ｒ、１０２Ｇ、１０２Ｂは、制御部１１２（図１参照）からの画像信号に応じて点灯する。１フレーム期間内の、Ｒ光、Ｇ光、Ｂ光の点灯時間において、制御光Ｌは、各光制御可動ミラーデバイス２００を走査する。Ｒ光、Ｇ光、Ｂ光を順次投写し、全体として白色の投写像を得るためには、Ｇ光の光束量が全体の光束量のうち６０〜８０％であることを要する。各色光用ＬＥＤ１０２Ｒ、１０２Ｇ、１０２Ｂの出力量と数量とが同一である場合、Ｇ光の光束量が不足することとなる。このため、図４に示すように、Ｇ色用ＬＥＤ１０２Ｇの点灯時間ＧＴを、Ｒ光用ＬＥＤ１０２Ｒの点灯時間ＲＴ、及びＢ光用ＬＥＤ１０２Ｂの点灯時間ＢＴのいずれよりも長くする。なお、本発明の光制御デバイスの制御方法によると、可動ミラー１０８は、画像信号に応じた所定の位置に移動可能であることから、アナログ信号に対応して連続的な変化量を表示することができる。このため、例えば、各色光用ＬＥＤ１０２Ｒ、１０２Ｇ、１０２Ｂの点灯時間ＲＴ、ＧＴ、ＢＴを略同一とし、Ｇ光をより多く可動ミラー１０８から投写レンズ１０５の方向に反射させることにより、Ｇ光の光束量を増加しても良い。
【００４０】
（第２実施形態）
図５は、本発明の第２実施形態に係る光制御デバイスの制御方法に用いられる光制御可動ミラーデバイス５００の構成を示す。上記第１実施形態の光制御可動ミラーデバイス２００と同一の部分には同一の符号を付し、重複する説明は省略する。本実施形態の光制御デバイスの制御方法は、制御光Ｌの強度を画像信号に応じて変調する点、及び、透明電極２０２に一定の電圧を印加する点が、第１実施形態に係る光制御デバイスの制御方法と異なる。制御光供給工程において、透明電極２０２に、画像信号に応じて強度を変調された制御光Ｌを入射させる。制御光用光源部１１０は、ビーム状の光、例えば、レーザ光を、制御部１１２からの画像信号に応じて供給する。制御光用光源部１１０は、例えば、変調器を備えた半導体レーザ素子や面発光レーザ素子を用いることができる。電圧供給工程において、電源５１０は、透明電極２０２と可動ミラー１０８との間に、一定の電圧を印加する。制御光Ｌの強度が増大すると、導電率可変部２０３の電気的な導電率が増大する。これに対して、透明電極２０２に印加する電圧は一定であるから、駆動用電極２０４と可動ミラー１０８との間には、制御光Ｌの強度に応じた静電力Ｆが発生する。この結果、移動工程において、可動ミラー１０８は、画像信号に応じた所定の位置に移動する。
【００４１】
図６は、光制御可動ミラーデバイス５００の制御例を示す。図３に示した第１実施形態の光制御デバイスの制御方法と同様、本実施形態の光制御デバイスの制御方法においても、リセット工程を設けている。図６（ａ）に示すように、図６（ｄ）に示すリセット信号に同期して、制御光Ｌの強度を最大値ｍａｘとする。制御光Ｌは、リセット信号に同期して最大値ｍａｘをとる以外は、制御部１１２からの画像信号に応じて強度を変調される。また、図６（ｃ）に示すように、リセット信号に同期して、透明電極２０２に印加する電圧を０（ゼロ）Ｖにする。透明電極２０２に印加する電圧は、リセット信号の期間以外は、常に一定値のＨＶである。リセット工程において、制御光Ｌの強度を最大値ｍａｘとするため、導電率可変部２０３の導電率は最大となる。制御光Ｌの強度を最大値ｍａｘとしたとき透明電極２０２に印加する電圧を０（ゼロ）Ｖとすると、駆動用電極２０４に０（ゼロ）Ｖの電圧が印加される。可動ミラー１０８の電位は、ＧＮＤ電極２１２に接地されているため常に基準電位である０（ゼロ）Ｖで一定である。従って、駆動用電極２０４と可動ミラー１０８とが略同電位となり、駆動用電極２０４に残存、蓄積している電荷をＧＮＤ電極２１２から逃がすことができる。さらに、図３に示した第１実施形態の光制御デバイスの制御方法と同様、リセット工程のタイミングは、画像信号により変調された制御光Ｌを照射するタイミングより前である。また、駆動用電極２０４と可動ミラー１０８とを略同電位とする時間は、可撓性の支持部２０６の作用により可動ミラー１０８が移動可能な応答時間よりも短い。
【００４２】
光アドレッシングにより可動ミラー１０８を駆動するため、各可動ミラー１０８を駆動するための配線等を不要とし、集積回路とＭＥＭＳ構造とを一体に形成することも不要となる。これにより、簡易な構成で、低廉なコストの光制御可動ミラーデバイス５００を用いることができるという効果を奏する。また、リセット工程を設けることにより、駆動用電極２０４に残存する電荷を逃がすことができる。これにより、画像信号に正確に対応して光制御可動ミラーデバイス５００を制御でき、高品質な画像を得られるという効果を奏する。
【００４３】
（第３実施形態）
図７は、本発明の第３実施形態に係る光制御デバイスの制御方法を説明するための、光制御可動ミラーデバイス２００の制御例を示す。本実施形態に用いる光制御可動ミラーデバイス２００の構成は上記第１実施形態の光制御可動ミラーデバイス２００の構成（図２参照）と同一であるため、第１実施形態と重複する図示及び説明を省略する。本実施形態の光制御デバイスの制御方法は、リセット工程を設けていない点が、第１実施形態に係る光制御デバイスの制御方法と異なる。図７（ｃ）に示すように、画素に制御光Ｌが入射すると同時に、透明電極２０２には、画像信号に応じて変調された電圧が印加される。可変電源２１０は、透明電極２０２に、画像信号に応じて変調された電圧のみを印加する。
【００４４】
例えば、駆動速度が遅い光制御可動ミラーデバイス２００を用いる場合や、抵抗値が低い導電率可変部２０３を用いる場合等は、駆動用電極２０４に残存した電荷は、時間経過とともに導電率可変部２０３を通過する。そして、駆動用電極２０４と透明電極２０２とはいずれ略同電位となり、駆動用電極２０４の電荷の蓄積が少なくなる。このため、駆動用電極２０４に残存した電荷を積極的に消去しなくても画像信号に対応して光制御可動ミラーデバイス２００を制御できる。また、一度書き込みを行った後に積極的にリセットを行う場合、駆動用電極２０４と可動ミラー１０８とを略同電位とするタイミングと、制御光Ｌが画素を照射し始めるタイミングとを正確に同期させる必要がある。駆動用電極２０４と可動ミラー１０８とを略同電位とする期間を設けず画像信号に応じて変調した電圧のみを印加すると、電圧供給と制御光Ｌの走査とを正確に同期させるための機構を設けなくても、高品質な画像を得られる。従って、電圧供給と制御光Ｌの走査との同期を正確に行うための機構を設けなくても、画像信号に正確に対応して光制御可動ミラーデバイス２００を制御できるという効果を奏する。
【００４５】
（第４実施形態）
図８は、本発明の第４実施形態に係る光制御デバイスの制御方法に用いられる光制御可動ミラーデバイス８００の構成を示す。上記第１実施形態の光制御可動ミラーデバイス２００と同一の部分には同一の符号を付し、重複する説明は省略する。本実施形態の光制御デバイスの制御方法は、電極８１２によって、可動ミラー１０８は、駆動用電極２０４より高い基準電位である点が、上記第１実施形態の光制御デバイスの制御方法と異なる。可動ミラー１０８を駆動用電極２０４より高い基準電位とすると、画像信号に応じて変調された電圧によって、可動ミラー１０８と駆動用電極２０４との間に静電力Ｆが発生する。
【００４６】
図９は、本実施形態に係る光制御デバイスの制御方法を説明するための、光制御可動ミラーデバイス８００の制御例を示す。図９（ａ）に示すように、制御光Ｌの強度は一定である点は、図３に示した第１実施形態の光制御デバイスの制御方法と同様である。可動ミラー１０８は、図９（ｂ）に示すように、電極８１２によってＨＶ（Ｈ＞０）に維持されている。また、図９（ｃ）に示すように、透明電極２０２に印加される電圧は、可動ミラー１０８の基準電位より低い電圧である。制御光Ｌを透明電極に入射させると、駆動用電極２０４に可変電源２１０からの電圧が印加されることにより、可動ミラー１０８は、駆動用電極２０４より高い基準電位となる。このため、駆動用電極２０４と可動ミラー１０８との間に、変調された電圧に応じた静電力Ｆが発生する。なお、静電力Ｆは、駆動用電極２０４と可動ミラー１０８との電位差によって発生する。このため、第１実施形態の制御方法と同様に可動ミラー１０８を移動させるためには、図９（ｃ）に示すように、電圧ＨＶを基準として図３（ｃ）のチャートとは上下が逆の矩形波となるような電圧を、透明電極２０２に印加する必要がある。
【００４７】
また、第１実施形態の光制御デバイスの駆動方法と同様にして、リセット工程を設けることができる。図９（ｃ）に示すように、図９（ｄ）のリセット信号に同期してＨＶの電圧を印加する。透明電極２０２にＨＶの電圧を印加すると、駆動用電極２０４と可動ミラー１０８とが略同電位となり、駆動用電極２０４の電荷を逃がすことができる。さらに、図３に示した第１実施形態の光制御デバイスの制御方法と同様、リセット工程のタイミングは、画像信号により変調された制御光Ｌを照射するタイミングより前である。また、駆動用電極２０４と可動ミラー１０８とを略同電位とする時間は、可撓性の支持部２０６の作用により可動ミラー１０８が移動可能な応答時間よりも短い。
【００４８】
光アドレッシングにより可動ミラー１０８を駆動するため、各可動ミラー１０８を駆動するための配線等を不要とし、集積回路とＭＥＭＳ構造とを一体に形成することも不要となる。これにより、簡易な構成で、低廉なコストの光制御可動ミラーデバイス８００を用いることができるという効果を奏する。また、リセット工程を設けることにより、駆動用電極２０４に残存する電荷を逃がすことができる。これにより、画像信号に正確に対応して光制御可動ミラーデバイス８００を制御でき、高品質な画像を得られるという効果を奏する。
【００４９】
なお、可変電源２１０には、直流電源、交流電源のいずれを用いても良い。直流電源を用いる場合、第１実施形態、第４実施形態で説明したように、可動ミラー１０８を駆動用電極２０４より高い基準電圧、又は低い基準電圧とすることにより本発明の制御方法を実施できる。また、交流電源を使用する場合、電位の位相が変化する瞬間に可動ミラー１０８と駆動用電極２０４との間の電位差が０（ゼロ）になる。このため、交流電源は、位相の切替えが可動ミラー１０８の移動のための応答時間に比較して無視できる程度に短い時間（例えば、１００ｎｓｅｃ）に行われるような矩形波を発生させる。これにより、可動ミラー１０８は、位相の変化による影響を受けることなく移動することができる。さらに、位相の変化によって電圧の極性が変化しても可動ミラー１０８と駆動用電極２０４との間の電位差には変化がないため、可動ミラー１０８は、印加する電圧の極性の変化による影響を受けることもない。このため、可動ミラー１０８の基準電位と、駆動用電極の交流電圧の振幅の絶対値とに差を設けることにより、可動ミラー１０８と駆動用電極２０４との間に静電力Ｆを発生させることができる。また、交流電流は常に電荷の移動を行うため、電荷の蓄積と吸着とを防止し、電圧を安定して印加することができる。さらに、駆動用電極２０４と可動ミラー１０８とを略同電位とするリセット工程を設けることにより、確実に駆動用電極２０４に残存する電荷を逃がすことができ、光制御可動ミラーデバイスを正確に制御できる。
【００５０】
プロジェクタ１００の照明光用光源部１０１は、ＬＥＤに限らず半導体レーザ素子や、エレクトロルミネッセント（ＥＬ）素子等の他の固体発光素子や、固体発光素子以外のランプ等を用いることができる。また、本発明の光制御デバイスの制御方法は、画像信号に応じて変調した電圧を用いて連続的な変化量を表示するアナログ制御としているが、ディジタル制御に本発明の制御方法を用いても良い。例えば、透明電極２０２に印加する電圧をＯＮ、ＯＦＦの２値のみをとることとし、サブフレーム駆動を用いて階調表現をしても良い。さらに、光制御デバイスをプロジェクタ１００に使用する場合に限らず、例えば、光通信用光スイッチ等に光制御デバイスを使用する場合にも、本発明の光制御デバイスの制御方法を用いることができる。
【図面の簡単な説明】
【図１】プロジェクタの概略構成図。
【図２】第１実施形態に用いる光制御可動ミラーデバイスの概略構成図。
【図３】第１実施形態の光制御デバイスの制御方法の説明図。
【図４】各色光用ＬＥＤの点灯時間と点灯タイミングとの例を示す図。
【図５】第２実施形態に用いる光制御可動ミラーデバイスの概略構成図。
【図６】第２実施形態の光制御デバイスの制御方法の説明図。
【図７】第３実施形態の光制御デバイスの制御方法の説明図。
【図８】第４実施形態に用いる光制御可動ミラーデバイスの概略構成図。
【図９】第４実施形態の光制御デバイスの制御方法の説明図。
【符号の説明】
１００  プロジェクタ、１０１  照明光用光源部、１０２Ｒ  Ｒ光用ＬＥＤ、１０２Ｇ  Ｇ光用ＬＥＤ、１０２Ｂ  Ｂ光用ＬＥＤ、１０３  フィールドレンズ、１０４  変調部、１０５  投写レンズ、１０６  スクリーン、１０７  入射瞳、１０８  可動ミラー、１１０  制御光用光源部、１１２  制御部、１１６  ガルバノミラー、１２０  空間光変調装置、１３０  制御光用光学系、２００  光制御可動ミラーデバイス、２０１  硝子基板、２０２  透明電極、２０３  導電率可変部、２０４  駆動用電極、２０５  絶縁層、２０６  支持部、２１０  可変電源、２１２  ＧＮＤ電極、５００  光制御可動ミラーデバイス、５１０  電源、８００  光制御可動ミラーデバイス、８１２  電極、Ｆ  静電力、Ｌ  制御光、ＲＴ  Ｒ点灯時間、ＧＴ  Ｇ点灯時間、ＢＴ  Ｂ点灯時間
【図１】
2005062253.tif 000003
【図２】
2005062253.tif 000004
【図３】
2005062253.tif 000005
【図４】
2005062253.tif 000006
【図５】
2005062253.tif 000007
【図６】
2005062253.tif 000008
【図７】
2005062253.tif 000009
【図８】
2005062253.tif 000010
【図９】
2005062253.tif 000011